(57)【要約】【課題】除湿機能が長く稼動しない状態から再び稼動した場合でも、異臭が発生し難い除湿機能を有する空気調和機を提供する。【解決手段】空気調和機１は、空気清浄ユニット２、除湿ユニット３及び加湿ユニット４を備えている。空気清浄ユニット２、除湿ユニット３及び加湿ユニット４のいずれか１つが稼動しているとき、送風機５が動作している。除湿ユニット３は、吸着素子３１で吸着した水分をヒータ３２によって加熱して回収するデシカント式の除湿ユニットである。制御部６は、ヒータ３２が非通電となる状態の積算時間が５００時間に達したとき、ヒータ強制通電制御が実行され、ヒータ３２の表面の異物が少ないうちにその異物が焼却される。その結果、除湿ユニット３が稼動したとき、異物の焦げるような異臭を発生させることが抑制され、ユーザーに不快感を与えることが防止される。【選択図】図１０
2010048523.tif 000002
【特許請求の範囲】
【請求項１】
吸着部材（３１）で吸着した水分をヒータ（３２）によって加熱して回収するデシカント式の除湿機能を有する除湿部（３）と、
前記除湿部（３）が稼動していないときに前記ヒータ（３２）周りを含む空間に空気流を生じさせる動作を行う別機能部（２，４）と、
前記除湿部（３）及び前記別機能部（２，４）を制御する制御部（６）と、
を備え、
前記制御部（６）は、前記別機能部（２，４）が稼動し前記ヒータ（３２）が非通電となる第１状態が所定の時間条件を満たしたとき、前記除湿部（３）が稼動していなくても前記ヒータ（３２）へ強制的に通電するヒータ強制通電制御を行う、
空気調和機（１）。
【請求項２】
前記所定の時間条件は、前記第１状態が所定時間以上継続されることである、
請求項１に記載の空気調和機（１）。
【請求項３】
前記所定の時間条件は、前記第１状態が維持された時間の積算時間が所定時間を越えることである、
請求項１に記載の空気調和機（１）。
【請求項４】
前記ヒータ強制通電制御は、前記ヒータ（３２）へ所定時間通電する制御である、
請求項１に記載の空気調和機（１）。
【請求項５】
前記ヒータ強制通電制御は、前記ヒータ（３２）への通電と非通電とを交互に所定回数繰り返す制御である、
請求項１に記載の空気調和機（１）。
【請求項６】
前記ヒータ（３２）への通電時間が非通電時間より短い、
請求項５に記載の空気調和機（１）。
【請求項７】
前記ヒータ（３２）を通過してから前記吸着部材（３１）に向う空気流を生成する再生ファン（３３）をさらに備え、
前記制御部（６）は、前記ヒータ（３２）へ通電している間、前記再生ファン（３３）を稼動させる、
請求項１に記載の空気調和機（１）。
【請求項８】
前記吸着部材（３１）を回転させる駆動部（３６）をさらに備え、
前記制御部（６）は、前記ヒータ強制通電制御を行っている間、前記駆動部（３６）を稼動させない、
請求項１に記載の空気調和機（１）。
【請求項９】
前記吸着部材（３１）を回転させる駆動部（３６）をさらに備え、
前記制御部（６）は、前記ヒータ（３２）へ通電していない間、前記駆動部（３６）を稼動させて前記吸着部材（３１）を回転させる、
請求項５に記載の空気調和機（１）。
【請求項１０】
前記別機能部（２，４）は、空気を清浄する空気清浄部（２）、及び、水を気化させて加湿する加湿部（４）の少なくとも一方を含む、
請求項１に記載の空気調和機（１）。
【請求項１１】
前記空気清浄部（２）、前記除湿部（３）及び加湿部（４）の少なくとも１つに送風する送風機（５）をさらに備えた、
請求項１０に記載の空気調和機（１）。
【発明の詳細な説明】
【技術分野】
【０００１】
本発明は、除湿機能を有する空気調和機に関する。
【背景技術】
【０００２】
近年、除湿機能を有する空気調和機として、吸着素子を利用したものが広く普及している（例えば、特許文献１参照）。特許文献１に記載の空気調和機は、回転する円板状の吸着素子で空気中の水分を吸着させた後、その吸着素子をヒータで加熱して水分を放出させ回収する。
【０００３】
しかしながら、上記のような除湿機能は、長く使用されずに放置された場合、ヒータ非通電の状態が長く継続しヒータ表面に異物が堆積する。ヒータ表面に異物が堆積した状態で除湿機能が再稼動しヒータに通電された場合、異物が焼かれて焦げるような異臭が発生し、ユーザーに不快感を与える恐れがある。特許文献１に記載の空気調和機は、除湿機能だけであるので、稼動していないときにヒータ表面に堆積する異物は比較的少ないが、仮に、加湿機能などの別機能が付加されている場合は、ヒータ表面を通過する空気流が増加しヒータ表面に堆積する異物も増加するので、ヒータ通電時に異臭を発生する可能性はより高くなる。
【特許文献１】特開２００３−３８９３０号公報
【発明の開示】
【発明が解決しようとする課題】
【０００４】
本発明の課題は、除湿機能が長く稼動しない状態から再び稼動した場合でも、異臭が発生し難い除湿機能を有する空気調和機を提供することにある。
【課題を解決するための手段】
【０００５】
第１発明に係る空気調和機は、除湿部と、別機能部と、制御部とを備えている。除湿部は、吸着部材で吸着した水分をヒータによって加熱して回収するデシカント式の除湿機能を有する。別機能部は、除湿部が稼動していないときにヒータ周りを含む空間に空気流を生じさせる動作を行う。制御部は、除湿部及び別機能部を制御する。また、制御部は、別機能部が稼動しヒータが非通電となる第１状態が所定の時間条件を満たしたとき、除湿部が稼動していなくてもヒータへ強制的に通電するヒータ強制通電制御を行う。
【０００６】
通常、除湿部が稼動せずヒータが非通電の状態が長く継続したとき、ヒータ表面に異物が堆積する。ヒータ表面に異物が堆積した状態で除湿部が稼動しヒータに通電されると、異物が焼かれて異臭を発し、ユーザーに不快感を与える恐れがある。しかし、この空気調和機では、ヒータ強制通電制御を行うことによって、ヒータ表面の異物が少ないうちにその異物を焼却することができる。その結果、除湿部を稼動させたときに、異物の焦げるような異臭を発生させることが抑制され、ユーザーに不快感を与えることが防止される。
【０００７】
第２発明に係る空気調和機は、第１発明に係る空気調和機であって、所定の時間条件が、第１状態が所定時間以上継続されることである。この空気調和機では、別機能部が稼動しヒータが非通電となる第１状態は、乾燥する季節に発生しやすいので、特定の季節が終わったあとの使用で異臭が発生するという事態が回避される。
【０００８】
第３発明に係る空気調和機は、第１発明に係る空気調和機であって、所定の時間条件が、第１状態が維持された時間の積算時間が所定時間を越えることである。この空気調和機では、別機能部が稼動しヒータが非通電となる第１状態は、乾燥する場所で発生しやすいので、特定の場所で使用されたあとに異臭が発生するという事態が回避される。
【０００９】
第４発明に係る空気調和機は、第１発明に係る空気調和機であって、ヒータ強制通電制御が、ヒータへ所定時間通電する制御である。この空気調和機では、ヒータの能力に応じた通電時間が設定されるので、確実にヒータ表面の異物が焼却される。
【００１０】
第５発明に係る空気調和機は、第１発明に係る空気調和機であって、ヒータ強制通電制御が、ヒータへの通電と非通電とを交互に所定回数繰り返す制御である。この空気調和機では、連続通電でヒータ表面の異物を焼却した場合、異臭が発生する可能性があるので、数回に分けて焼却することによって異臭の発生量を抑え、ユーザーに不快感を与えないようにすることができる。
【００１１】
第６発明に係る空気調和機は、第５発明に係る空気調和機であって、ヒータへの通電時間が非通電時間より短い。この空気調和機では、先に発生した異臭が非通電時間の間に拡散して消滅するので、異臭の持続的発生が回避される。
【００１２】
第７発明に係る空気調和機は、第１発明に係る空気調和機であって、ヒータを通過してから吸着部材に向う空気流を生成する再生ファンをさらに備えている。制御部は、ヒータへ通電している間、再生ファンを稼動させる。この空気調和機では、ヒータへの通電時に、ヒータ周辺が熱損傷することが防止される。
【００１３】
第８発明に係る空気調和機は、第１発明に係る空気調和機であって、吸着部材を回転させる駆動部をさらに備えている。制御部は、ヒータ強制通電制御を行っている間、駆動部を稼動させない。この空気調和機では、吸着部材が回転しないので、不必要な除湿を行うことはない。
【００１４】
第９発明に係る空気調和機は、第５発明に係る空気調和機であって、吸着部材を回転させる駆動部をさらに備えている。制御部は、ヒータへ通電していない間、駆動部を稼動させて吸着部材を回転させる。この空気調和機では、吸着部材の同じ領域が常に加熱される事態が回避されるので、除湿部が稼動していないときでも、吸着部材の活性化（再生）が行われる。
【００１５】
第１０発明に係る空気調和機は、第１発明に係る空気調和機であって、別機能部は、空気を清浄する空気清浄部、及び、水を気化させて加湿する加湿部の少なくとも一方を含む。
【００１６】
通常、空気清浄部又は加湿部が稼動し除湿部が稼動しない状態が長く継続した場合、空気清浄部又は加湿部の稼動時に発生する空気流によってヒータ表面に異物が堆積する。しかし、この空気調和機では、ヒータ強制通電制御を行うことによって、ヒータ表面の異物が少ないうちにその異物を焼却することができる。その結果、除湿部を稼動させたときに、異物の焦げるような異臭を発生させることが抑制され、ユーザーに不快感を与えることが防止される。
【００１７】
第１１発明に係る空気調和機は、第１０発明に係る空気調和機であって、空気清浄部、除湿部及び加湿部の少なくとも１つに送風する送風機をさらに備えている。
【００１８】
この空気調和機では、送風機は、除湿部のヒータ周辺に空気流を発生させてヒータ表面に異物を堆積させるが、ヒータ強制通電制御を行うことによって、ヒータ表面の異物が少ないうちにその異物を焼却することができる。その結果、除湿部を稼動させたときに、異物の焦げるような異臭を発生させることが抑制され、ユーザーに不快感を与えることが防止される。
【発明の効果】
【００１９】
第１発明に係る空気調和機では、ヒータ強制通電制御を行うことによって、ヒータ表面の異物が少ないうちにその異物を焼却することができる。その結果、除湿部を稼動させたときに、異物の焦げるような異臭を発生させることが抑制され、ユーザーに不快感を与えることが防止される。
【００２０】
第２発明に係る空気調和機では、別機能部が稼動しヒータが非通電となる第１状態は、乾燥する季節に発生しやすいので、特定の季節が終わったあとの使用で異臭が発生するという事態が回避される。
【００２１】
第３発明に係る空気調和機では、別機能部が稼動しヒータが非通電となる第１状態は、乾燥する場所で発生しやすいので、特定の場所で使用されたあとに異臭が発生するという事態が回避される。
【００２２】
第４発明に係る空気調和機では、ヒータの能力に応じた通電時間が設定されるので、確実にヒータ表面の異物が焼却される。
【００２３】
第５発明に係る空気調和機では、連続通電でヒータ表面の異物を焼却した場合、異臭が発生する可能性があるので、数回に分けて焼却することによって異臭の発生量を抑え、ユーザーに不快感を与えないようにすることができる。
【００２４】
第６発明に係る空気調和機では、先に発生した異臭が非通電時間の間に拡散して消滅するので、異臭の持続的発生が回避される。
【００２５】
第７発明に係る空気調和機では、ヒータへの通電時に、ヒータ周辺が熱損傷することが防止される。
【００２６】
第８発明に係る空気調和機では、吸着部材が回転しないので、不必要な除湿を行うことはない。
【００２７】
第９発明に係る空気調和機では、吸着部材の同じ領域が常に加熱される事態が回避されるので、除湿部が稼動していないときでも、吸着部材の活性化（再生）が行われる。
【００２８】
第１０発明、又は第１１発明に係る空気調和機では、ヒータ強制通電制御を行うことによって、ヒータ表面の異物が少ないうちにその異物を焼却することができる。その結果、除湿部を稼動させたときに、異物の焦げるような異臭を発生させることが抑制され、ユーザーに不快感を与えることが防止される。
【発明を実施するための最良の形態】
【００２９】
以下図面を参照しながら、本発明の実施形態について説明する。なお、以下の実施形態は、本発明の具体例であって、本発明の技術的範囲を限定するものではない。
【００３０】
＜空気調和機の構成＞
図１は、本発明の一実施形態に係る空気調和機の斜視図である。図１において、空気調和機１では、空気清浄ユニット２、除湿ユニット３、加湿ユニット４、送風機５及び制御部６が、本体１０に収納されている。本実施形態では、ユーザーが容易に空気調和機１を移動させることができるように、本体１０の側面上部には取っ手７が設けられ、本体１０の下面（室内の床面と対向する面）に、キャスター８が設けられている。
【００３１】
送風機５は、本体１０に対して空気清浄ユニット２と反対側に位置しており、空気清浄ユニット２側から視たとき、空気清浄ユニット２、除湿ユニット３、加湿ユニット４、送風機５の順で並んでいる。送風機５が稼働しているとき、空気が空気清浄ユニット２側から吸い込まれて、除湿ユニット３を通過した後に加湿ユニット４を通過し送風機５に至る空気風路Ａが形成される。
【００３２】
図２は、空気調和機の本体上部の斜視図である。図２において、本体１０の上部には吹出口１１が設けられており、空気流路Ａを経て浄化され調湿された空気が吹出口１１から吹き出される。空気の吹き出し方向は、吹出口１１の開口部に設置されたルーバー１２によって変更することができる。
【００３３】
ルーバー１２は、仕切羽根１２０と、第１風向調整羽根１２１と、第２風向調整羽根１２２とを有している。第１風向調整羽根１２１及び第２風向調整羽根１２２は、仕切羽根１２０と交差し、且つ鉛直方向に対して傾斜自在に仕切羽根１２０に支持されている。ルーバー１２は、ステッピングモータ１９によって駆動される。図１では、ルーバー１２が閉じた状態であるが、運転を開始するとステッピングモータ１９によって自動的に真上に開く。
【００３４】
さらに、本体１０の上部には操作パネル６０（図１参照）が設けられており、カバー１３によって保護されている。その操作パネル６０の下方に制御部６（図１参照）が位置しており、操作パネル６０から入力される信号に基づいて、空気清浄ユニット２、除湿ユニット３、加湿ユニット４、送風機５及びルーバー１２が制御される。運転モードは、操作パネル６０上の運転切換ボタンによって切り替えられる。
【００３５】
＜空気清浄ユニット２＞
図３は、空気調和機から空気清浄ユニットを取り外した斜視図である。図３において、空気清浄ユニット２は、カバー２１と、フィルタ２２と、脱臭触媒２３と、ホコリセンサー２４と、ニオイセンサー２５とを有している。フィルタ２２と脱臭触媒２３は、本体１０に設けられた収納部２０に脱着可能に収納されており、脱臭触媒２３がフィルタ２２の空気流下流側に位置する。
【００３６】
脱臭触媒２３は、フィルタ２２を通過してきた空気から臭いや有害ガスを吸着し、分解する。ホコリセンサー２４は、本体１０の側面上部に設けられ、ニオイセンサー２５は、収納部２０の上方に設けられている。
【００３７】
＜除湿ユニット３＞
図４は、除湿ユニットの斜視図である。図４において、除湿ユニット３は、吸着素子３１、ヒータ３２、再生ファン３３、送風管３４及び熱交換部３５を有している。吸着素子３１は、ハニカム構造体であり、ゼオライト粉末、バインダー及び膨張剤を混合して練り上げた材料によって円板状で多孔質に成形されている。バインダーは、例えば、変性ＰＰＥ、ポリプロピレン、ポリスチレン、ＡＢＳ樹脂などの熱可塑性樹脂から選択される。膨張剤は、ハニカム構造体の成形時に膨張し無数の気泡を形成する。このため、吸着素子３１は、水分に対して高い吸着性を有している。
【００３８】
ヒータ３２は、空気流路Ａに対して吸着素子３１の下流側の側面と対向する場所に配置されており、吸着素子３１の側面の６分の１程度を覆うことができる扇形の取付部材によって取り付けられている。
【００３９】
再生ファン３３は、吸着素子３１の吸着性能を再生させる送風機であり、吸着素子３１の上方から空気流路Ａに対して吸着素子３１の下流側へ突出するように取り付けられている。ヒータ３２と再生ファン３３とは空気の流通ができるように第１送風管３４ａによって連絡されている。再生ファン３３の稼働によって発生する空気は、第１送風管３４ａを通ってヒータ３２に至り、そこで加熱されて高温空気となる。
【００４０】
送風管３４は、第１送風管３４ａ、第２送風管３４ｂ、第３送風管３４ｃ及び第４送風管３４ｄから成る。ヒータ３２によって加熱された高温空気は、対向する吸着素子３１の側面から吸着素子３１の厚み方向に沿って進み、反対側の側面から出てくる。吸着素子３１の高温空気が通過した領域は、高温空気に加熱されて水分を高温空気へ放出する。
【００４１】
吸着素子３１を通過した高温空気は、高温高湿空気となって第２送風管３４ｂに入る。第２送風管３４ｂは、吸着素子３１を通過してきた高温高湿空気を完全に回収できるように、空気流路Ａに対して吸着素子３１の上流側の側面を覆うように配置されている。第２送風管３４ｂは、外形が扇形であって、側面の４分の１程度を覆っている。
【００４２】
第３送風管３４ｃは、第２送風管３４ｂから流れてくる高温高湿空気を、吸着素子３１の径方向外側の外周に沿って流す。第３送風管３４ｃには、空気流路Ａと同じ方向に貫通する複数の長孔３５ａが設けられており、空気流路Ａを流れる空気がその長孔３５ａを通過する。第３送風管３４ｃ内を流れる高温高湿空気は、長孔３５ａの壁面に接触しながら流れているので、長孔３５ａを通過する空気は、高温高湿空気から熱量を奪う。このため、長孔３５ａの内壁面に接触した高温高湿空気は冷却され、長孔３５ａの内壁面は結露する。結露水は所定の出口を通過し、下方に配置された水タンクへ入る。
【００４３】
第４送風管３４ｄは、第３送風管３４ｃと再生ファン３３とを連絡している。第３送風管３４ｃを流れる高温高湿空気は、複数の長孔３５ａの内壁面に接触して熱量と水分を奪われた後に、第４送風管３４ｄを通って再生ファン３３に吸い込まれる。
【００４４】
図５は、除湿ユニットをヒータ側から視た正面図である。図５において、除湿ユニット３は、駆動モータ３６をさらに有している。駆動モータ３６は、ピニオン歯車３６１を有しており、吸着素子３１の外周には、ピニオン歯車３６１と噛み合う従動歯車３１１が設けられている。駆動モータ３６が稼働している間、吸着素子３１は回転しており、空気流路Ａを通過する空気と接触して水分を吸着し、ヒータ３２と対向する位置でその水分を放出し、再び空気流路Ａを通過する空気と接触する。このため、吸着素子３１は、水分の吸着と放出を繰り返すことができる。
【００４５】
また、ヒータ３２は、図５正面視の前後方向に並んで配置される第１ヒータ３２１と第２ヒータ３２２とを有している。第１ヒータ３２１は、吸着素子３１に近い側に位置し、消費電力は３２０Ｗである。第２ヒータ３２２は、第１ヒータ３２１よりも吸着素子３１から遠い側に位置し、消費電力は１８０Ｗである。
【００４６】
＜加湿ユニット４＞
図６は、空気調和機の本体から水タンクと気化素子とを引き出した状態の斜視図であり、図７は、加湿ユニットの斜視図である。図６、図７において、加湿ユニット４は、水タンク４０、気化素子４１、水車４２及び駆動部４３を有している。水タンク４０は、空気流路Ａを通る空気に与える水分の水源であり、本体１０に脱着可能に収納されている。水タンク４０内の水が不足している場合は、ユーザーによって本体１０の引き出し口１４から引き出されて、水が補充される。
【００４７】
気化素子４１は、不織布で円板状に成形され、回転することによって水タンク４０から送られてくる水を蒸発させる気化部材である。気化素子４１は外周に第１歯車４１１を有しており、第１歯車４１１は駆動部４３によって回転する。気化素子４１は、水タンク４０の満水時の水位よりも上方に配置されているので、水タンク４０内の水とは直接接触していない。水量センサー４４は、水タンク４０の水量を検知するセンサーであり、水タンク４０の満水状態及び渇水状態を未然に防止するために設けられている。
【００４８】
図８は、図７の空気流れの下流側から視た加湿ユニットの斜視図である。図８において、水車４２は、水タンク４０に回転可能に支持されており、水タンク４０内の水を汲み上げて気化素子４１に向って放出する。
【００４９】
水車４２は、回転することによって、凹部４２１ａが順番に水タンク４０の水中を通過して上昇してくる。凹部４２１ａが浸水したとき、内部へ水が入るので、水中から出てきた凹部４２１ａの内部は水で満たされている。
【００５０】
凹部４２１ａが最上位置に近づくにしたがって、凹部４２１ａ内の水は徐々に流出し、最上位置を通過したときにほぼ全ての水が流出する。水は、流出する際に重力によってある程度の勢いが付加されているので、凹部４２１ａと近接している気化素子４１の側面に向って流出する。
【００５１】
水タンク４０は、引き出し式の第１扉１０ａを引き出すことによって本体１０の引き出し口１４から取り出すことができ、気化素子４１は、回転式の第２扉１０ｂを開けることによって、本体１０の取り出し口１５から取り出すことができる。これによって、ユーザーは、水タンク４０を取り出して、水の補給や、水タンク４０及び水車４２の洗浄を行うことができ、また、気化素子４１を取り出して交換することもできる。
【００５２】
＜操作パネル６０＞
図９は、操作パネルの斜視図である。図９において、操作パネル６０上には、運転入／切ボタン６１、運転切換ボタン６２、風量選択ボタン６３、湿度選択ボタン６４、コース選択ボタン６５、タイマー選択ボタン６６、オートルーバーボタン６７、及びおすすめボタン６８が設けられており、各ボタンを押すことによって、押されたボタンに対応した信号が、操作パネル６０の下方に配置された制御部６に入力される。なお、制御部６は、マイコンとメモリを内蔵している。
【００５３】
例えば、運転入／切ボタン６１は、空気調和機１への電源供給をオン・オフするボタンであり、電源プラグをコンセントに差し込んだ後、押されると運転を開始し、再度押されると運転を停止する。また、運転切換ボタン６２は、運転モードを選択するボタンであり、「空気清浄」、「加湿」及び「除湿」のいずれか１つを選択することができる。
【００５４】
＜除湿ユニットのヒータ強制通電制御＞
運転モードが「除湿」でないとき、例えば、運転モードが「加湿」であるとき、除湿ユニット３の再生ファン３３は動作していない。しかし、加湿ユニット４の稼動に伴って送風機５が動作しているので、ヒータ３２を含む空間には常に強制的な空気対流が発生しており、タバコのヤニなどの粘着性物質が第１ヒータ３２１及び第２ヒータ３２２の表面に付着し、さらにその上に空気中に粉塵が付着して、時間の経過とともに異物が堆積する。この状態で、ユーザーが運転モードを「除湿」に切り替え、ヒータ３２に通電されると、第１ヒータ３２１及び第２ヒータ３２２の表面に堆積した異物が焦げて異臭が発生する。
【００５５】
本実施形態に係る空気調和機では、上記のような異臭の発生を抑制するために、制御部６が、除湿ユニット３が稼動していないときでも第１ヒータ３２１及び第２ヒータ３２２の表面に異物が堆積するのを防止するために、ヒータ３２へ強制的に通電するヒータ強制通電制御を行っている。以下、このヒータ強制通電制御について、図面を用いて説明する。
【００５６】
図１０は、ヒータ強制通電制御のフローチャートである。図１０において、ステップＳ１で、制御部６は、ヒータ３２が非通電状態であるか否かを判定する。通電状態であると判定したときは、引き続きヒータ３２が非通電状態であるか否かを監視する。ヒータ３２が非通電状態であると判定したときは、ステップＳ２へ進む。
【００５７】
ステップＳ２で、制御部６は、ヒータ３２に通電されていない時間（以下、非通電時間とよぶ）を計測する。制御部６は、ヒータ３２の非通電時間をメモリに記憶しており、仮に、空気調和機１への電源供給が停電などで停止した場合でも、電源が復旧したときは、記憶している非通電時間に、電源復旧後の非通電時間を積算していく。なお、メモリには、ヒータ３２の非通電時間を記憶するための非通電時間記憶領域が割り当てられている。
【００５８】
ステップＳ３で、制御部６は、ヒータ３２への非通電時間の積算時間が５００時間に達したか否かを判定する。積算時間が５００時間に達していないと判定したときは、引き続き計測を継続し、５００時間に達したと判定したときは、ステップＳ４へ進む。
【００５９】
ステップＳ４で、制御部６は、ヒータ３２への強制通電の回数を計数するために、メモリに記憶されている回数Ｎを０にする。なお、メモリには、強制通電回数を記憶するための回数記憶領域が割り当てられている。
【００６０】
ステップＳ５からステップＳ８で、制御部６は、第１ヒータ３２１に１０秒間通電し（ステップＳ５）、５０秒間通電しない（ステップＳ６）。続いて、第２ヒータ３２２に１０秒間通電し（ステップＳ７）、５０秒間通電しない（ステップＳ８）。
【００６１】
なお、ヒータ３２が通電されている間は、再生ファン３３は動作しているので、第１ヒータ３２１及び第２ヒータ３２２の周辺が熱で損傷することはない。さらに、ヒータ３２が通電されている間は、駆動モータ３６を稼動させないので、吸着素子３１が回転せず、不必要な除湿を行うことはない。
【００６２】
ステップＳ９で、制御部６は、メモリに記憶している強制通電回数Ｎに１を加え、ステップＳ５からステップＳ８までの一連の動作の実行回数を記憶する。
【００６３】
ステップＳ１０で、制御部６は、強制通電回数Ｎが４回に達したか否かを判定する。強制通電回数Ｎが４回に達していないと判定したときはステップＳ５に戻り、強制通電回数Ｎが４回に達したと判定したときは、ステップＳ１１に進む。
【００６４】
ステップＳ１１で、制御部６は、メモリの非通電時間記憶領域に記憶されているヒータ３２の積算された非通電時間をリセットして、ヒータ強制通電制御を終了する。
【００６５】
＜特徴＞
（１）
空気調和機１は、空気清浄ユニット２、除湿ユニット３及び加湿ユニット４を備えている。空気清浄ユニット２、除湿ユニット３及び加湿ユニット４のいずれか１つが稼動しているとき、送風機５が動作している。除湿ユニット３は、吸着素子３１で吸着した水分をヒータ３２によって加熱して回収するデシカント式の除湿ユニットである。制御部６は、ヒータ３２が非通電となる状態の積算時間が５００時間に達したとき、ヒータ強制通電制御が実行され、第１ヒータ３２１及び第２ヒータ３２２の表面の異物が少ないうちにその異物が焼却される。その結果、除湿ユニット３が稼動したとき、異物の焦げるような異臭を発生させることが抑制され、ユーザーに不快感を与えることが防止される。
【００６６】
また、ヒータ強制通電制御は、ヒータ３２への通電と非通電とを交互に繰り返す制御であり、且つ、ヒータ３２への通電時間が非通電時間より短い。その結果、先に発生した異臭が非通電時間の間に拡散して消滅するので、異臭の持続的発生が回避される。
【００６７】
（２）
空気調和機１は、制御部６は、ヒータ３２へ通電している間、再生ファン３３を動作させるので、ヒータ３２への通電時に、第１ヒータ３２１及び第２ヒータ３２２の周辺が熱損傷するのを防止することができる。
【００６８】
（３）
空気調和機１は、制御部６は、ヒータ強制通電制御を行っている間、駆動モータ３６を動作させないので、吸着素子３１が回転せず、不必要な除湿を行うことはない。
【００６９】
＜変形例＞
上記実施形態では、ステップＳ５及びステップＳ８のヒータ３２が通電されている間は駆動モータ３６を動作させていないが、ステップＳ５及びステップＳ８のヒータ３２が通電されていない間は駆動モータ３６を動作させてもよい。これによって、ヒータ強制通電制御を実行中であってもヒータ３２へ通電されていない５０秒間は、吸着素子３１が回転し、吸着素子３１の同じ領域が常に加熱される事態が回避されるので、吸着素子の活性化（再生）が行われる。
【産業上の利用可能性】
【００７０】
以上のように、本発明によれば、吸着素子で吸着した水分をヒータによって加熱して回収するデシカント式の除湿機能を備えた空気調和機に有用である。
【図面の簡単な説明】
【００７１】
【図１】本発明の一実施形態に係る空気調和機の斜視図。
【図２】空気調和機の本体上部の斜視図。
【図３】空気調和機から空気清浄ユニットを取り外した状態の斜視図。
【図４】除湿ユニットの斜視図。
【図５】除湿ユニットをヒータ側から視た正面図。
【図６】空気調和機から水タンクと気化素子とを引き出した状態の斜視図。
【図７】加湿ユニットの斜視図。
【図８】図６の空気流れの下流側から視た加湿ユニットの斜視図。
【図９】操作パネルの斜視図。
【図１０】ヒータ強制通電制御のフローチャート
【符号の説明】
【００７２】
１  空気調和機
２  空気清浄ユニット（別機能部、空気清浄部）
３  除湿ユニット（除湿部）
４  加湿ユニット（別機能部、加湿部）
５  送風機
６  制御部
３１  吸着素子（吸着部材）
３２  ヒータ
３３  再生モータ
３６  駆動モータ（駆動部）
【図１】
2010048523.tif 000003
【図２】
2010048523.tif 000004
【図３】
2010048523.tif 000005
【図４】
2010048523.tif 000006
【図５】
2010048523.tif 000007
【図６】
2010048523.tif 000008
【図７】
2010048523.tif 000009
【図８】
2010048523.tif 000010
【図９】
2010048523.tif 000011
【図１０】
2010048523.tif 000012